(57)【要約】【課題】節電モードから通常モードへの移行頻度を軽減して、節電効率を向上する。【解決手段】複写処理等の指示を受けると共に、画像処理装置１０へ当該指示を送出する情報処理端末装置１８において、指示の種類を少なくとも「即時処理」指示と「待機処理」指示との２種類に分類し、それぞれの指示の種類を含む予め定めた条件に基づいて、節電モードから通常モードへの復帰の是非を判定するようにした。複写処理の指示は「即時処理」指示と判定する。「即時処理」指示は、節電モードから通常モードへ遅滞なく復帰させるようにしている。設定変更指示は「待機処理」指示と判定する。「待機処理」指示は、基本的には直ちに節電モードから通常モードへ復帰させず、節電モードを維持する。節電モードを維持する場合、指示を受けた情報は記憶しておき、次の復帰後に、当該記憶された情報に基づく「待機処理」指示に従い、処理（設定変更）を実行する。【選択図】図６
2011150407.tif 000002
【特許請求の範囲】
【請求項１】
処理実行装置への処理の指示を受け付ける受付手段と、
前記処理実行装置へ当該処理実行装置の節電状態を解除して前記受付手段で受け付けた指示に対応する処理を実行するよう指示する指示手段と、
前記受け付けた指示に関する情報を記憶する記憶手段とを有し、
前記受け付けた指示に対応する処理が予め定められた処理である場合に、当該指示に関する情報を前記記憶手段に記憶させ、
前記受け付けた指示に対応する処理が予め定められた処理でない場合に、当該指示に対応する処理に加え、前記記憶手段に記憶された指示に関する情報に基づく処理を実行するよう前記指示手段により前記処理実行装置へ指示することを特徴とする情報処理装置。
【請求項２】
前記処理実行装置が節電状態か否かを判断する判断手段を具備し、
前記処理実行装置が節電状態でない場合は、前記受け付けた指示に対応する処理が予め定められた処理であるときであっても、当該指示に対応する処理を実行するよう前記指示手段により前記処理実行装置へ指示することを特徴とする請求項１に記載の情報処理装置。
【請求項３】
前記予め定められた処理でないと判断される処理は利用者の介在が必要な処理であって、
前記記憶手段に記憶された指示に関する情報の処理情報量が予め定められた値を超えた場合は、前記記憶手段に記憶された指示に関する情報に基づく処理を実行するよう前記指示手段により指示することを特徴とする請求項１又は請求項２記載の情報処理装置。
【請求項４】
処理の指示を受け付ける受付手段と、
節電状態を解除して前記受付手段で受け付けた指示に対応する処理を実行する実行手段と、
前記受け付けた指示に関する情報を記憶する記憶手段とを有し、
前記受け付けた指示に対応する処理が予め定められた処理である場合に、当該指示に関する情報を前記記憶手段に記憶させ、
受け付けた指示に対応する処理が予め定められた処理でない場合に、当該指示に対応する処理に加え、前記記憶手段に記憶された指示に関する情報に基づく処理を前記手段により実行することを特徴とする情報処理装置。
【請求項５】
コンピュータを、請求項１に記載の情報処理装置として機能させるためのプログラム。
【請求項６】
コンピュータを、請求項４に記載の情報処理装置として機能させるためのプログラム。
【発明の詳細な説明】
【技術分野】
【０００１】
本発明は、情報処理制御装置、情報処理プログラムに関する。
【背景技術】
【０００２】
特許文献１には、印刷データ等の即時処理が必要な通知と、設定変更通知等の即時処理の必要がない通知とを区別することなく、一意的にデバイスに送信する前に、節電復帰が必要な機器に節電復帰指示をしてから、印刷データを送信するシステムが記載されている。
【先行技術文献】
【特許文献】
【０００３】
【特許文献１】特開２００４−２７２５９６公報
【発明の概要】
【発明が解決しようとする課題】
【０００４】
本発明は、処理の指示を受け付けると常に節電状態を解除するものと比して、節電状態が解除される頻度を軽減できる情報処理装置およびプログラムを得ることが目的である。
【課題を解決するための手段】
【０００５】
請求項１に記載の発明は、処理実行装置への処理の指示を受け付ける受付手段と、前記処理実行装置へ当該処理実行装置の節電状態を解除して前記受付手段で受け付けた指示に対応する処理を実行するよう指示する指示手段と、前記受け付けた指示に関する情報を記憶する記憶手段とを有し、前記受け付けた指示に対応する処理が予め定められた処理である場合に、当該指示に関する情報を前記記憶手段に記憶させ、前記受け付けた指示に対応する処理が予め定められた処理でない場合に、当該指示に対応する処理に加え、前記記憶手段に記憶された指示に関する情報に基づく処理を実行するよう前記指示手段により前記処理実行装置へ指示することを特徴としている。
【０００６】
請求項２に記載の発明は、前記請求項１に記載の発明において、前記処理実行装置が節電状態か否かを判断する判断手段を具備し、前記処理実行装置が節電状態でない場合は、前記受け付けた指示に対応する処理が予め定められた処理であるときであっても、当該指示に対応する処理を実行するよう前記指示手段により前記処理実行装置へ指示することを特徴としている。
【０００７】
請求項３に記載の発明は、前記請求項１又は請求項２に記載の発明において、前記予め定められた処理でないと判断される処理は利用者の介在が必要な処理であって、前記記憶手段に記憶された指示に関する情報の処理情報量が予め定められた値を超えた場合は、前記記憶手段に記憶された指示に関する情報に基づく処理を実行するよう前記指示手段により指示することを特徴としている。
【０００８】
請求項４に記載の発明は、処理の指示を受け付ける受付手段と、節電状態を解除して前記受付手段で受け付けた指示に対応する処理を実行する実行手段と、前記受け付けた指示に関する情報を記憶する記憶手段とを有し、前記受け付けた指示に対応する処理が予め定められた処理である場合に、当該指示に関する情報を前記記憶手段に記憶させ、受け付けた指示に対応する処理が予め定められた処理でない場合に、当該指示に対応する処理に加え、前記記憶手段に記憶された指示に関する情報に基づく処理を前記手段により実行することを特徴としている。
【０００９】
請求項５に記載の発明は、コンピュータを、請求項１に記載の情報処理装置として機能させるためのプログラムである。
【００１０】
請求項６に記載の発明は、コンピュータを、請求項４に記載の情報処理装置として機能させるためのプログラムである。
【発明の効果】
【００１１】
請求項１，４，５，６に記載の発明によれば、処理の指示を受け付けると常に節電状態を解除するものと比して、節電状態が解除される頻度を軽減できる。
【００１２】
請求項２に記載の発明によれば、本構成を有さないものに比して、実行処理装置の節電状態が解除される頻度を軽減したまま、予め定められた処理であっても、予め定められた処理でない処理の指示を受け付ける前に実行処理装置へ実行を指示できる処理が増加する。
【００１３】
請求項３に記載の発明によれば、本構成を有さないものに比して、実行処理装置の節電状態が解除される頻度を軽減し、かつ、利用者の介在が必要な処理を行なう際に、利用者が待たされる時間を低減できる。
【図面の簡単な説明】
【００１４】
【図１】本実施の形態に係る画像処理装置の外観を示す正面図である。
【図２】本実施の形態に係る画像処理装置の制御系の概略を示すブロック図である。
【図３】画像処理制御部のメインコントローラにおける、動作モード制御ルーチンを示すフローチャートである。
【図４】本実施の形態に係る情報処理端末装置における節電復帰制御ルーチンを示すフローチャートである。
【図５】本実施の形態の構成である、サービスセンターサーバー、情報処理端末装置、メインコントローラとの間で実行される処理である（実施例１）
【図６】本実施の形態の構成である、サービスセンターサーバー、情報処理端末装置、メインコントローラとの間で実行される処理である（実施例２）
【図７】本実施の形態の構成である、サービスセンターサーバー、情報処理端末装置、メインコントローラとの間で実行される処理である（実施例３）
【図８】本実施の形態の構成である、サービスセンターサーバー、情報処理端末装置、メインコントローラとの間で実行される処理である（実施例４）
【図９】本実施の形態の構成である、サービスセンターサーバー、情報処理端末装置、メインコントローラとの間で実行される処理である（実施例５）
【図１０】本実施の形態の構成である、サービスセンターサーバー、情報処理端末装置、メインコントローラとの間で実行される処理である（実施例６）
【図１１】本実施の形態の変形例の構成である、サービスセンターサーバー、メインコントローラとの間の処理である（実施例７）。
【図１２】本実施の形態の変形例の構成である、サービスセンターサーバー、メインコントローラとの間の処理ルである（実施例８）。
【図１３】本実施の形態の変形例の構成である、サービスセンターサーバー、メインコントローラとの間の処理である（実施例９）。
【図１４】本実施の形態の変形例の構成である、サービスセンターサーバー、メインコントローラとの間の処理である（実施例１０）。
【図１５】本実施の形態の変形例の構成である、サービスセンターサーバー、メインコントローラとの間の処理である（実施例１１）。
【図１６】本実施の形態の変形例の構成である、サービスセンターサーバー、メインコントローラとの間の処理である（実施例１２）。
【発明を実施するための形態】
【００１５】
図１には、画像処理装置１０が示されている。画像処理装置１０は、記録用紙に画像を形成する画像形成部１２と、原稿画像を読み取る画像読取部１４とを備えている。画像読取部１４で読み取った原稿画像は、画像処理制御部１６により画像処理されて画像形成部１２へ送出されるようになっている。
【００１６】
上記画像処理制御部１６には、情報処理端末装置１８が接続されている。情報処理端末装置１８には、インターネット等のネットワーク通信回線網２０及び電話回線網２２にそれぞれ接続されている。情報処理端末装置１８は、例えば、ネットワーク通信回線網２０又は電話回線網２２を介して、外部サーバーや画像処理装置１０のメンテナンスを実行するサービスセンター等と画像処理装置１０との間で情報を送受信する役目を有している。
【００１７】
画像形成部１２は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、顕像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００１８】
なお、本実施の形態では、情報処理端末装置１８に、課金処理機能が搭載されており、情報処理端末装置１８は、正規の課金があった時点で、画像処理装置１０へ画像処理の許可信号を送出する場合がある。
【００１９】
図２に示される如く、画像処理制御部１６は、メインコントローラ２４を備え、このメインコントローラ２４には、画像読取制御管理部２６及び画像形成制御管理部２８が接続されている。
【００２０】
画像読取制御管理部２６は、前記画像読取部１４における原稿搬送系や、画像を読み取るための走査駆動系、画像を読み取るための光電変換素子等が接続されて、それぞれを制御する。
【００２１】
画像形成制御管理部２８は、前記画像形成部１２における搬送系や、画像形成のための走査露光系、現像系等の各処理系が接続されて、それぞれを制御する。
【００２２】
メインコントローラ２４には、ＵＩ（ユーザ・インターフェイス）３０、ハードディスク３１が接続されている。
【００２３】
情報処理端末装置１８は、前記画像処理制御部１６に接続されている。情報処理端末装置１８は、ＣＰＵ３２、ＲＡＭ３４、ＲＯＭ３６、Ｉ／Ｏ（入出力部）３８、及びこれらを接続するデータバスやコントロールバス等のバス４０を有している。
【００２４】
Ｉ／Ｏ４０には、ＵＩ４２が接続されている。ＵＩ４２は、ユーザーからの入力指示を受け付け、かつユーザーへ画像処理に関する情報を報知する役目を有している。さらに、Ｉ／Ｏ３８には、ハードディスク４４が接続されている。また、Ｉ／Ｏ３８は、Ｉ／Ｆ４６を介して前記ネットワーク通信回線網２０及び電話回線網２２に接続されている。
【００２５】
ハードディスク４４などに記録されているプログラムに基づいてＣＰＵ３２が動作することによって、情報処理端末装置１８の機能を実現する。なお、該プログラムを格納した記録媒体（ＣＤ−ＲＯＭ、ＤＶＤ−ＲＯＭ等）から該プログラムをインストールし、これに基づいてＣＰＵ３２が動作することにより情報処理端末装置１８の機能を実現してもよい。
【００２６】
ところで、本実施の形態の画像処理装置１０には、少なくとも、通常モードと節電モードとの２つのモード（状態）がある。ここで、節電モードは通常モードよりも画像形成装置の消費電力が少ないモードであり、節電モードにおいては、通常モードで実行できる処理の少なくとも一部は実行できないものとする。節電モードを実現するための方法には様々なものがあるが、例えば、画像形成部１２における定着部による記録用紙の加熱及び加圧による定着処理に必要なヒータ温度を調整することが考えられる。ヒータ温度は、通常モード時の温度を維持するには相当量の電力が必要であるため、節電モード時には、その温度を下げて電力消費を抑制する、或いは完全に電力を遮断する。
【００２７】
その他、外部から画像形成指示等を受信する以外の全ての機器への電力を遮断する場合もある。或いは、節電モードから通常モードに復帰（変更）し、１枚目の画像形成処理までの期間を短縮するために、電力を遮断する機器を選択する場合がある。
【００２８】
本実施の形態では、前記複写処理等の指示を受けると共に、画像処理装置１０へ当該指示を送出する情報処理端末装置１８において、指示の種類を少なくとも「即時処理」指示と「待機処理」指示との２種類に分類し、節電モードから通常モードへの復帰（節電モードの解除）の是非を判定（判断）するようにした。
【００２９】
受け付けた指示に係る処理が「即時処理」か「待機処理」かは、ハードディスク４４などに保持されている情報（例えば、処理と処理の分類［「即時処理」か「待機処理」か］とが予め対応づけられたテーブル）に基づき分類する。指示に当該指示に係る処理が「即時処理」か「待機処理」かを示す情報が含まれていてもよい。
【００３０】
ここで、どのような処理を「即時処理」（指示を受け付けたらなるべく早く実行すべきものと想定される処理）とするかは任意であるが、例として、当該処理の実行中あるいは処理後にユーザの介在が必要な処理が考えられる。
【００３１】
例えば、情報処理端末装置１８がユーザの指示を受けて、画像処理装置１０へ送出する、複写処理の指示は、「即時処理」指示と判定する。複写処理は、原稿を画像処理装置１０のプラテンへ置くなどといったユーザの介在を必要とするからである。
【００３２】
一方、「待機処理」（指示を受け付けても即時の実行は必要がないと想定される処理）としては、例えば「即時処理」実行の直前に実行されていれば十分な処理であって、以下の例が考えられる。
【００３３】
前述したネットワーク通信回線網２０には、画像処理装置１０を管理するサーバー（以下、「サービスセンターサーバー４８」という）が接続されており、このサービスセンターサーバー４８から、情報処理端末装置１８を介して、画像処理装置１０に対して、バージョンアップや情報書換等の設定変更指示を行うことがある。この設定変更指示は、画像処理装置１０が節電モード中に受信することがあり、本実施の形態では、この設定変更指示は、「待機処理」指示と判定（分類）する。当該設定変更は、例えば複写処理を実行する際に反映されていれば十分だからである。
【００３４】
この場合、当該指示に関する情報は記憶しておき、次の復帰後に、当該記憶された情報に基づく「待機処理」指示に従い、処理（設定変更）を実行する。
【００３５】
次の復帰には、以下の形態がある。
【００３６】
（復帰１）  「即時処理」指示があったとき
（復帰２）  「待機処理」指示の処理情報量（後述）が予め定めたしきい値を超えたとき
上記の復帰条件が成立すると、画像処理装置１０は、復帰モードから通常モードへ復帰すると共に、当該「待機処理」指示並びに、それまでに保存（記憶）しておいた「待機処理」指示、或いは「復帰１」の場合には、当該「即時処理」指示が実行される。
【００３７】
以下に本実施の形態の作用を説明する。
【００３８】
（画像処理（複写）手順）
画像読取部１４では、原稿画像を読み取り、その読み取った原稿画像は、画像読取管理制御部２６から画像処理制御部１６へ送出される。画像処理制御部１６では、原稿画像が画像データに変換され、画像形成制御管理部２８へ送出される。
【００３９】
画像形成制御管理部２８では、受け取った画像データに基づいて画像形成部１２を制御して画像形成処理を実行する。
【００４０】
走査露光部では、画像データに基づいて光ビームを感光体へ走査する。前記走査露光部によって走査露光されることで形成された静電潜像は画像現像部によって現像される。
【００４１】
顕像化された感光体上の画像は、転写部において、記録用紙へ転写され、当該記録用紙は、定着部を通過し、装置筐体から排出される。
【００４２】
ここで、本実施の形態の情報処理端末装置１８は、図３に示される如く、メインコントローラ２４の処理ルーチンの１つとして、予め定められた期間中、画像処理が実行されない状態が継続すると（ステップ５０での肯定判定）、節電モードへ移行する（ステップ５２）。
【００４３】
この節電モードにより、例えば、定着処理に必要なヒータ温度を通常モード時の温度を維持せず、その温度を下げて電力消費を抑制する、或いは完全に電力を遮断する。
【００４４】
この節電モード中においても、情報処理端末装置１８は、画像処理複写指示、設定変更指示を受信する。
【００４５】
以下、図４のフローチャートに従い、情報処理端末装置１８における、画像処理装置１０のモード制御ルーチンを説明する。
【００４６】
ステップ５４では、処理の指示があったか否かが判断される。このステップ５４で否定判定された場合は、このルーチンは終了する。また、ステップ５４で肯定判定されると、ステップ５６へ移行して、受けた指示が「即時処理」指示か、「待機処理」指示かを判定する。このステップ５６で「即時処理」指示であると判定されると、ステップ５８へ移行する。
【００４７】
ステップ５８では、現在の画像処理装置１０のモードが通常モードか節電モードかを判断する。ステップ５８で節電モードと判定された場合は、ステップ６０へ移行して、復帰処理を実行し、画像処理装置１０を、画像読取処理及び画像形成処理が可能な状態として、ステップ６２へ移行する。また、ステップ５８で通常モードと判定された場合は、既に、画像処理装置１０は、画像読取処理及び画像形成処理が可能な状態になっているため、ステップ６２へ移行する。
【００４８】
ステップ６２では、情報処理端末装置１８に節電モード中に記憶した「待機処理」指示に関する情報（指示された「待機処理」の内容を把握できる情報）が保存されているか否かが判断される。
【００４９】
ステップ６２で肯定判定されると、ステップ６４へ移行して、当該保存された「待機処理」指示に関する情報に対応する「待機処理」を実行し、ステップ６６へ移行する。また、ステップ６２で否定判定されると、ステップ６６へ移行する。
【００５０】
ステップ６６では、前記ステップ５６で判定された「即時処理」指示に従い、「即時処理」を実行し、このルーチンは終了する。
【００５１】
一方、前記ステップ５６における「即時処理」指示か「待機処理」指示かの判定において、「待機処理」指示と判定された場合は、ステップ５６からステップ６８へ移行する。
【００５２】
ステップ６８では、前記ステップ５８と同様に、現在の画像処理装置１０のモードが通常モードか節電モードかを判断する。ステップ６８で通常モードと判定された場合は、既に、画像処理装置１０は、画像読取処理及び画像形成処理が可能な状態になっているため、ステップ７０へ移行して「待機処理」を実行し、このルーチンは終了する。
【００５３】
また、ステップ６８で、節電モードと判定された場合は、ステップ７２へ移行して、「待機処理」指示に関する情報の保存処理を実行して、ステップ７４へ移行する。ステップ７４では、保存された（複数の）「待機処理」指示に関する情報に対応する「待機処理」を実行した場合に要すると予想される時間の合計値を算出し、その合計値が予め定めたしきい値を超えたか否かが判断され、否定判定、すなわち、合計値がしきい値以下と判定された場合は、現時点では、「待機処理」の実行を行なわず、このルーチンは終了する。また、ステップ７４で肯定判定、すなわち、合計値がしきい値を超えたと判定された場合は、ステップ７６へ移行して、強制復帰処理を実行し、ステップ７０へ移行する。ここで、「待機処理」を実行した場合に要すると予想される時間は、「待機処理」の種類ごとに情報処理端末装置１８に予め記憶されているものとする。
【００５４】
なお、しきい値は、例えば、画像処理装置１０において復帰モードから通常モードへ移行するときに必要な時間が好ましい。復帰モードから通常モードへ移行するときに必要な時間内に、保存された（複数の）「待機処理」指示に関する情報に対応する複数の「待機処理」が完了するのであれば（ここでは、復帰モードから通常モードへの移行処理と「待機処理」とは並行して実行されるものとしている）、「即時処理」指示を受け付けたときに「待機処理」を実行した後で当該「即時処理」を実行したとしても、「即時処理」指示を指示したユーザが、「即時処理」が実行されるまでに、必要以上の時間を待つことがないからである。
【００５５】
なお、ステップ７４において、「待機処理」を実行した場合に要すると予想される時間に基づいて判定するのではなく、保存された「待機処理」指示に関する情報の個数に基づいて判定してもよい。すなわち、保存された「待機処理」指示に関する情報の個数が予め定めた個数を超えたか否かを判定してもよい。
上記以外にも、ステップ７４において用いる情報は、（保存された「待機処理」指示に関する情報に対応する）「待機処理」を実行した場合に要する時間が、おおよそ判断できる情報であればよい。以下、このような情報を「処理情報量」とも称することとする。
【００５６】
（変形例）
なお、本実施の形態では、ネットワーク通信回線網２０から複写指示等の「即時処理」や、設定変更等の「待機処理」を受け、画像処理装置１０へ送出する中継として、情報処理端末装置１８を設けたが、情報処理端末装置１８としての機能を、画像処理装置１０の内部のメインコントローラ２４で行なうようにしてもよい。
【実施例】
【００５７】
実施例１〜実施例６は、本実施の形態の構成である、サービスセンターサーバー４８、情報処理端末装置１８、画像処理装置１０（メインコントローラ２４）との間の処理として説明する。
【００５８】
また、実施例７〜実施例１２は、本実施の形態の変形例である、サービスセンターサーバー４８、画像処理装置１０（メインコントローラ２４）との間の処理として説明する。
（実施例１）
図５に示される如く、実施例１は、通常モード時に「待機処理」が指示された際の処理であり、情報処理端末装置１８を主体としてその処理を説明する。なお、「即時処理」指示として「複写」指示、「待機処理」指示として「設定変更（更新）」指示を例に挙げて説明する。
【００５９】
まず、情報処理端末装置１８が、サービスセンターサーバー４８から設定変更（更新）指示を受信する。
【００６０】
次に、情報処理端末装置１８は、受信した内容が「即時処理」指示か「待機処理」指示かを判断し、ここでは、「待機処理」指示と判断して、画像処理制御１６のメインコントローラ２４に対して、モードの問い合わせを行なう。この結果、メインコントローラ２４からの回答を受ける。
【００６１】
ここでは、画像処理装置１０が通常モードであるため、設定変更（更新）指示に関する情報（設定変更（更新）情報）をメインコントローラ２４へ送出する。
【００６２】
この結果、画像処理装置１０では、設定変更（更新）処理が実行される。
（実施例２）
図６に示される如く、実施例２は、節電モード時に「即時処理」が指示された際の処理であり、情報処理端末装置１８を主体としてその処理を説明する。なお、「即時処理」指示として「複写」指示、「待機処理」指示として「設定変更（更新）」指示を例に挙げて説明する。
【００６３】
まず、情報処理端末装置１８が、ユーザから情報処理端末装置１８のＵＩ４２を介して複写指示を受け付ける。
【００６４】
次に、情報処理端末装置１８は、受信した内容が「即時処理」か「待機処理」かを判断し、ここでは、「即時処理」と判断して、画像処理制御部１６のメインコントローラ２４に対して、節電復帰を指示する。
【００６５】
メインコントローラ２４は、復帰指示を受けて節電モードから通常モードへの復帰処理を実行する。
【００６６】
画像処理装置１０が通常モードになると、情報処理端末装置１８からメインコントローラ２４へ複写処理の開始を指示する情報が送出される
この結果、画像処理装置１０では、複写処理が実行（開始）される（ユーザが画像処理装置１０を用いて複写を行なえるようになる）。
（実施例３）
図７に示される如く、実施例３は、節電モード時に「待機処理」、続いて「即時処理」が指示された際の処理であり、情報処理端末装置１８を主体としてその処理を説明する。なお、「即時処理」指示として「複写」指示、「待機処理」指示として「設定変更（更新）」指示を例に挙げて説明する。
【００６７】
まず、情報処理端末装置１８が、サービスセンターサーバー４８から設定変更（更新）指示を受信する。
【００６８】
次に、情報処理端末装置１８は、受信した内容が「即時処理」か「待機処理」かを判断し、ここでは、「待機処理」と判断して、画像処理制御部１６のメインコントローラ２４に対して、モードの問い合わせを行なう。この結果、メインコントローラ２４からの回答を受ける。
【００６９】
ここでは、画像処理装置１０が節電モードであるため、設定変更（更新）情報を情報処理端末装置１８に保存する処理を行なう。
【００７０】
保存後、現在までに保存した設定変更（更新）情報の処理情報量が制限以下（しきい値以下）か否かを判定する。ここでは、制限以下なので、節電モードは維持される。
【００７１】
その後、情報処理端末装置１８が、複写指示を受信する。
【００７２】
次に、情報処理端末装置１８は、受信した内容が「即時処理」か「待機処理」かを判断し、ここでは、「即時処理」と判断して、まず、設定変更（更新）情報が保存の有無を判定した後、画像処理制御部１６のメインコントローラ２４に対して、節電復帰を指示する。
【００７３】
メインコントローラ２４は、復帰指示を受けて節電モードから通常モードへの復帰処理を実行する。
【００７４】
画像処理装置１０が通常モードになると、情報処理端末装置１８からメインコントローラ２４へ、保存された設定変更（更新）情報を送出し、次いで複写処理の開始を指示する情報を送出する。なお、情報処理端末装置１８は復帰指示を送信せず、複写処理の開始を指示する情報が復帰指示を兼ねることとしてもよい。つまり、画像処理装置１０は、節電モードの場合に複写処理の開始を指示する情報を受信すると、節電モードから通常モードへ移行するよう構成してもよい。
【００７５】
この結果、画像処理装置１０では、設定変更（更新）処理、次いで複写処理が実行される。
【００７６】
その後、画像処理装置１０での処理が一定時間実行されないと、再び節電モードへ移行する。
（実施例４）
図８に示される如く、実施例４は、節電モード時に「待機処理」が連続して指示されたときの処理であり、情報処理端末装置１８を主体としてその処理を説明する。なお、「待機処理」指示として「設定変更（更新）」指示を例に挙げて説明する。
【００７７】
まず、情報処理端末装置１８が、サービスセンターサーバー４８から設定変更（更新）指示を受信する。
【００７８】
次に、情報処理端末装置１８は、受信した内容が「即時処理」か「待機処理」かを判断し、ここでは、「待機処理」と判断して、画像処理制御部１６のメインコントローラ２４に対して、モードの問い合わせを行なう。この結果、メインコントローラ２４からの回答を受ける。
【００７９】
ここでは、画像処理装置１０が節電モードであるため、設定変更（更新）情報を情報処理端末装置１８に保存する処理を行なう。
【００８０】
保存後、現在までに保存した設定変更（更新）情報の処理情報量が制限以下（しきい値以下）か否かを判定する。ここでは、制限を超えたと判断され、画像処理制御部１６のメインコントローラ２４に対して、節電復帰を指示する。
【００８１】
メインコントローラ２４は、復帰指示を受けて節電モードから通常モードへの復帰処理を実行する。
【００８２】
画像処理装置１０が通常モードになると、情報処理端末装置１８からメインコントローラ２４へ、保存された全ての設定変更（更新）情報を送出する。
【００８３】
この結果、画像処理装置１０では、複数の設定変更（更新）処理が実行される。
【００８４】
その後、画像処理装置１０での処理が一定時間実行されないと、再び節電モードへ移行する。
（実施例５）
図９に示される如く、実施例５は、実施例１〜実施例４から選択された複合的な処理であり、前記実施例２（図６）と実施例３（図７）とが続けて実行された場合を示す。なお、通信手順は、実施例２の手順後、一旦節電モードへ移行し、その後実施例３を実行するため、詳細な手順については省略する。
（実施例６）
図１０に示される如く、実施例６は、実施例１〜実施例４から選択された複合的な処理であり、前記実施例２（図６）と実施例４（図８）とが続けて実行された場合を示す。なお、通信手順は、実施例２の手順後、一旦節電モードへ移行し、その後実施例４を実行するため、詳細な手順については省略する。
（実施例７）
図１１に示される如く、実施例７は、通常モード時に「待機処理」が指示された際の処理である。なお、「即時処理」指示として「複写」指示、「待機処理」指示として「設定変更（更新）」指示を例に挙げて説明する。
【００８５】
まず、画像処理装置１０のメインコントローラ２４が、サービスセンターサーバー４８から設定変更（更新）指示を受信する。
【００８６】
ここでは、画像処理装置１０が通常モードであるため、設定変更（更新）情報をメインコントローラ２４へ送出する。
【００８７】
この結果、画像処理装置１０では、設定変更（更新）処理が実行される。
（実施例８）
図１２に示される如く、実施例８は、節電モード時の「即時処理」の処理である。なお、「即時処理」指示として「複写」指示、「待機処理」指示として「設定変更（更新）」指示を例に挙げて説明する。
【００８８】
まず、画像処理装置１０のメインコントローラ２４が、ユーザからＵＩ３０を介して複写指示を受信する。
【００８９】
次に、画像処理装置１０のメインコントローラ２４は、受信した内容が「即時処理」か「待機処理」かを判断し、ここでは、「即時処理」と判断して、節電復帰を実行する。
【００９０】
画像処理装置１０が通常モードになると、画像情報が送出される。この結果、画像処理装置１０では、複写処理が実行される。
（実施例９）
図１３に示される如く、実施例９は、節電モード時に「待機処理」、続いて「即時処理」が指示された際の処理である。なお、「即時処理」指示として「複写」指示、「待機処理」指示として「設定変更（更新）」指示を例に挙げて説明する。
【００９１】
まず、画像処理装置１０のメインコントローラ２４が、サービスセンターサーバー４８から設定変更（更新）指示を受信する。
【００９２】
次に、画像処理装置１０のメインコントローラ２４は、受信した内容が「即時処理」か「待機処理」かを判断し、ここでは、「待機処理」と判断し、かつ、画像処理装置１０が節電モードであるため、設定変更（更新）情報を画像形成装置１０に保存する処理を行なう。
【００９３】
保存後、現在までに保存した設定変更（更新）情報の処理情報量が制限以下（しきい値以下）か否かを判定する。ここでは、制限以下なので、節電モードは維持される。
【００９４】
その後、画像処理装置１０のメインコントローラ２４が、複写指示を受信する。
【００９５】
次に、画像処理装置１０のメインコントローラ２４は、復帰処理を実行する。
【００９６】
画像処理装置１０が通常モードになると、保存された設定変更（更新）処理、次いで複写処理が実行される。
【００９７】
その後、画像処理装置１０での処理が一定時間実行されないと、再び節電モードへ移行する。
（実施例１０）
図１４に示される如く、実施例１０は、節電モード時に「待機処理」が連続して指示されたときの処理である。なお、「待機処理」指示として「設定変更（更新）」指示を例に挙げて説明する。
【００９８】
まず、画像処理装置１０のメインコントローラ２４が、サービスセンターサーバー４８から設定変更（更新）指示を受信する。
【００９９】
次に、画像処理装置１０のメインコントローラ２４は、受信した内容が「即時処理」か「待機処理」かを判断し、ここでは、「待機処理」と判断し、かつ、画像処理装置１０が節電モードであるため、設定変更（更新）情報を画像処理装置１０に保存する処理を行なう。
【０１００】
保存後、現在までに保存した設定変更（更新）情報の処理情報量が制限以下（しきい値以下）か否かを判定する。ここでは、制限を超えたと判断され、画像処理制御部１６のメインコントローラ２４は節電復帰を実行する。
【０１０１】
画像処理装置１０が通常モードになると、保存された全ての設定変更（更新）処理が実行される。
【０１０２】
その後、画像処理装置１０での処理が一定時間実行されないと、再び節電モードへ移行する。
（実施例１１）
図１５に示される如く、実施例１１は、実施例７〜実施例１０から選択された複合的な処理であり、前記実施例８（図１２）と実施例９（図１３）とが続けて実行された場合を示す。なお、通信手順は、実施例８の手順後、一旦節電モードへ移行し、その後実施例９を実行するため、詳細な手順については省略する。
（実施例１２）
図１６に示される如く、実施例１２は、実施例７〜実施例１０から選択された複合的な処理であり、前記実施例８（図１２）と実施例１０（図１４）とが続けて実行された場合を示す。なお、通信手順は、実施例８の手順後、一旦節電モードへ移行し、その後実施例１０を実行するため、詳細な手順については省略する。
【符号の説明】
【０１０３】
１０    画像処理装置
１２    画像形成部
１４    画像読取部
１６    画像処理制御部
１８    情報処理端末装置
２０    ネットワーク通信回線網
２２    電話回線網
２４    メインコントローラ
２６    画像読取制御管理部
２８    画像形成制御管理部
３０    ＵＩ
３１    ハードディスク
３２    ＣＰＵ
３４    ＲＡＭ
３６    ＲＯＭ
３８    Ｉ／Ｏ
４０    バス
４２    ＵＩ
４４    ハードディスク
４６    Ｉ／Ｆ
４８    サービスセンターサーバー
【図１】
2011150407.tif 000003
【図２】
2011150407.tif 000004
【図３】
2011150407.tif 000005
【図４】
2011150407.tif 000006
【図５】
2011150407.tif 000007
【図６】
2011150407.tif 000008
【図７】
2011150407.tif 000009
【図８】
2011150407.tif 000010
【図９】
2011150407.tif 000011
【図１０】
2011150407.tif 000012
【図１１】
2011150407.tif 000013
【図１２】
2011150407.tif 000014
【図１３】
2011150407.tif 000015
【図１４】
2011150407.tif 000016
【図１５】
2011150407.tif 000017
【図１６】
2011150407.tif 000018